(57)【要約】パケットに基づく伝送方式を使用するメディアゲートウェイ及び基地局制御器を含む移動通信システムにおいて、シグナリングメッセージ及び付加データを多重化して伝送するための方法及びシステムを開示する。メディアゲートウェイがボコーダを含むことによって、新たに提案されたＤＢ（Dim and Burst）及びＢＢ（Burst and Blank）方式を用いて、基地局制御器は、メディアゲートウェイとの音声データを伝送する間にシグナリングメッセージ及び付加データを多重化し、多重化されたデータを移動端末へ伝送するために、メディアゲートウェイに音声データ伝送率を減少するように要請する。そうすると、メディアゲートウェイ内のボコーダは、伝送率を減少することによって、音声データとともにシグナリングメッセージ及び付加データを効率的に伝送する。
2006514807.tif 000002
【特許請求の範囲】
【請求項１】
アナログ音声信号と符号化されたディジタル音声信号との間の相互変換を遂行するトランスコーダーを備えるメディアゲートウェイと、前記メディアゲートウェイ及びディジタル音声信号を送受信する基地局制御器とを含む移動通信システムにおいて、前記音声信号を移動端末へ伝送するとき、シグナリングメッセージ及び／又は付加データを多重化して伝送するための方法であって、
前記移動端末から伝送された音声信号及び前記音声信号の伝送率に関する情報を前記基地局制御器から前記メディアゲートウェイへ伝送するステップと、
着信側から伝送された音声信号及び前記音声信号の伝送率に関する情報を前記メディアゲートウェイから前記基地局制御器へ伝送するステップと、
前記基地局制御器が前記音声信号を送受信する間に、前記移動端末へ伝送するためのシグナリングメッセージ及び／又は付加データがあるか否かを検査し、伝送される前記シグナリングメッセージ及び／又は前記付加データがある場合、前記シグナリングメッセージ及び／又は前記付加データを前記音声信号と多重化して前記移動端末へ伝送するステップと、
から構成されることを特徴とする方法。
【請求項２】
あらかじめ設定された時間の間に前記メディアゲートウェイから前記基地局制御器へ伝送された前記音声信号の伝送率が減少されない場合、前記伝送される前記音声信号の代わりに前記シグナリングメッセージ及び／又は付加データを前記音声信号の伝送区間に挿入して前記移動端末へ伝送するステップをさらに備えることを特徴とする請求項１記載の方法。
【請求項３】
前記音声信号の代わりに前記移動端末へ伝送される前記シグナリングメッセージ及び／又は付加データは、最大伝送率で伝送されることを特徴とする請求項２記載の方法。
【請求項４】
前記シグナリングメッセージ及び／又は前記付加データを前記音声信号と多重化して伝送するステップは、
あらかじめ設定された時間の間に前記メディアゲートウェイに伝送率の減少を要求するステップと、
前記メディアゲートウェイから伝送率の減少に対する応答を受信し、減少された伝送率に従って前記シグナリングメッセージ及び／又は前記付加データを前記音声信号と多重化して前記移動端末へ伝送するステップと、を含むことを特徴とする請求項１記載の方法。
【請求項５】
前記音声信号の伝送率を減少するように要求するステップは、
前記あらかじめ設定された時間の間に伝送率減少要求を逆方向フレームメッセージに指定し、前記逆方向フレームメッセージをあらかじめ設定されたフレームプロトコルの伝送フレームと共に伝送することを特徴とする請求項４記載の方法。
【請求項６】
前記逆方向フレームメッセージは、前記音声信号のデータフレームを伝送するインターフェースを介して伝送され、減少要求に関する情報要素及び／又は伝送率の減少時間に関する情報要素を含む逆方向レイヤー３データ情報を含むことを特徴とする請求項５記載の方法。
【請求項７】
前記伝送率減少要求メッセージは、前記音声信号のデータフレームを伝送する第１のインターフェースと別途に設定された第２のインターフェースを通して伝送され、伝送率減少に関する情報、及び／又は伝送率減少時間に関する情報要素、及び／又は移動端末の識別番号に関する情報を含むことを特徴とする請求項３記載の方法。
【請求項８】
前記伝送率減少要求メッセージは、前記音声信号のデータフレームを伝送する第１のインターフェースと別途に設定された第２のインターフェースを介して伝送され、伝送率減少に関する情報及び移動端末の識別番号に関する情報を含むことを特徴とする請求項７記載の方法。
【請求項９】
アナログ音声信号と符号化されたディジタル音声信号との間の相互変換を遂行するトランスコーダーを備えるメディアゲートウェイと、前記メディアゲートウェイ及びディジタル音声信号を送受信する基地局制御器とを含む移動通信システムにおいて、前記基地局制御器が前記移動端末へ前記音声信号及びシグナリングメッセージ及び／又は付加データを多重化して伝送するための方法であって、
前記音声信号の以外に前記シグナリングメッセージ及び／又は付加データがあるか否かを判断するステップと、
前記シグナリングメッセージ及び／又は付加データがある場合、あらかじめ設定された時間の間に前記メディアゲートウェイに前記音声信号の伝送率の減少を要求するステップと、
前記メディアゲートウェイから前記音声信号の伝送率減少に対する応答を受信し、減少された伝送率に従って前記シグナリングメッセージ及び／又は付加データを前記音声信号と多重化して前記移動端末へ伝送するステップと、
から構成されることを特徴とする方法。
【請求項１０】
前記メディアゲートウェイが前記音声信号の伝送率を減少するように要求するステップは、
前記あらかじめ設定された時間の間に伝送率減少要求を逆方向フレームメッセージに指定し、前記逆方向フレームメッセージをあらかじめ設定されたフレームプロトコルの伝送フレームと共に伝送することを特徴とする請求項９記載の方法。
【請求項１１】
前記逆方向フレームメッセージは、前記音声信号のデータフレームを伝送するインターフェースを介して伝送され、減少要求に関する情報要素及び／又は伝送率の減少時間に関する情報要素を含む逆方向レイヤー３データ情報を含むことを特徴とする請求項１０記載の方法。
【請求項１２】
前記音声信号の伝送率を減少するように要求するステップは、
前記あらかじめ設定された時間の間に伝送率減少要求を伝送率減少要求メッセージに指定し、前記伝送率減少要求メッセージをフレームプロトコルの伝送フレームと別途に伝送することを特徴とする請求項９記載の方法。
【請求項１３】
前記伝送率減少要求メッセージは、前記音声信号のデータフレームを伝送する第１のインターフェースと別途に設定された第２のインターフェースを通して伝送され、伝送率減少に関する情報、及び／又は伝送率減少時間に関する情報要素、及び／又は移動端末の識別番号に関する情報を含むことを特徴とする請求項１２記載の方法。
【請求項１４】
アナログ音声信号と符号化されたディジタル音声信号との間の相互変換を遂行するトランスコーダーを備えるメディアゲートウェイと、前記メディアゲートウェイ及びディジタル音声信号を送受信する基地局制御器とを含む移動通信システムにおいて、前記メディアゲートウェイが前記移動端末へシグナリングメッセージ及び／又は付加データを前記音声信号と多重化して伝送することができるように前記音声信号の伝送率を減少するための方法であって、
前記基地局制御器が前記音声信号の伝送率減少を要求する場合、前記音声データの伝送率を減少するステップと、
あらかじめ設定された時間の内に前記音声信号の伝送率減少要求に対する応答を前記基地局制御器へ伝送するステップと、
から構成されることを特徴とする方法。
【請求項１５】
前記減少された伝送率に対する結果は、順方向フレームメッセージに指定され、前記順方向フレームメッセージは、フレームプロトコルの伝送フレームと共に基地局制御器へ伝送されることを特徴とする請求項１４記載の方法。
【請求項１６】
前記順方向フレームメッセージは、前記音声信号のデータフレームを伝送するインターフェースを介して伝送され、伝送率減少に関する結果情報要素、及び／又は前記あらかじめ設定された伝送率減少時間に関する情報要素を含む順方向レイヤー３データ情報を含むことを特徴とする請求項１５記載の方法。
【請求項１７】
前記減少された伝送率に対する結果は、伝送率減少応答メッセージに指定され、前記伝送率減少応答メッセージは、フレームプロトコルの伝送フレームと別途に基地局制御器へ伝送されることを特徴とする請求項１４記載の方法。
【請求項１８】
前記伝送率減少応答メッセージは、前記音声信号のデータフレームを伝送する第１のインターフェースと別途に設定された第２のインターフェースを介して伝送され、伝送率減少に関する結果情報、及び／又は伝送率減少時間に関する情報要素、及び／又は移動端末の識別番号に関する情報、及び／又は失敗原因に関する情報を含むことを特徴とする請求項１７記載の方法。
【請求項１９】
アナログ音声信号と符号化されたディジタル音声信号との間の相互変換を遂行するトランスコーダーを備えるメディアゲートウェイと、前記メディアゲートウェイ及びディジタル音声信号を送受信する基地局制御器とを含む移動通信システムにおいて、前記音声信号を移動端末に伝送するとき、シグナリングメッセージ及び／又は付加データを多重化して伝送するためのシステムであって、
着信側から伝送された音声信号及び前記音声信号の伝送率に関する情報を前記基地局制御器へ伝送する前記メディアゲートウェイと、
前記移動端末から伝送された音声信号及び前記音声信号の伝送率に関する情報を前記メディアゲートウェイに伝送し、前記基地局制御器が前記音声信号を送受信する中に、前記移動端末へ伝送するためのシグナリングメッセージ及び／又は付加データがあるか否かを検査し、伝送される前記シグナリングメッセージ及び／又は前記付加データが存在する場合、前記シグナリングメッセージ及び／又は前記付加データを前記音声信号と多重化して前記移動端末へ伝送する前記基地局制御器と、
から構成されることを特徴とするシステム。
【請求項２０】
前記基地局制御器は、あらかじめ設定された時間の間に前記メディアゲートウェイから前記基地局制御器へ伝送された前記音声信号の伝送率が減少されない場合、前記伝送される前記音声信号の代わりに前記シグナリングメッセージ及び／又は付加データを前記音声信号の伝送区間に挿入して前記移動端末へ伝送することを特徴とする請求項１９記載のシステム。
【請求項２１】
前記音声信号の代わりに前記移動端末へ伝送される前記シグナリングメッセージ及び／又は付加データは、最大伝送率で伝送されることを特徴とする請求項２０記載のシステム。
【請求項２２】
前記基地局制御器は、あらかじめ設定された時間の間に前記メディアゲートウェイが伝送率を減少するように要求し、前記メディアゲートウェイから伝送率減少に対する応答を受信し、減少された伝送率に従って前記シグナリングメッセージ及び／又は前記付加データを前記音声信号と多重化して前記移動端末へ伝送することを特徴とする請求項１９記載のシステム。
【請求項２３】
前記基地局制御器は、前記メディアゲートウェイが前記音声信号の伝送率を減少するように要求するために、前記あらかじめ設定された時間の間に伝送率減少要求を逆方向フレームメッセージに指定し、前記逆方向フレームメッセージをあらかじめ設定されたフレームプロトコルの伝送フレームと共に伝送することを特徴とする請求項１９記載のシステム。
【請求項２４】
前記逆方向フレームメッセージは、前記音声信号のデータフレームを伝送するインターフェースを介して伝送され、減少要求に関する情報要素及び／又は伝送率の減少時間に関する情報要素を含む逆方向レイヤー３データ情報を含むことを特徴とする請求項２３記載のシステム。
【請求項２５】
基地局制御器は、前記音声信号の伝送率を減少するように要求するために、前記あらかじめ設定された時間の間に伝送率減少要求を伝送率減少要求メッセージに指定し、前記伝送率減少要求メッセージをフレームプロトコルの伝送フレームと別途に伝送することを特徴とする請求項１９記載のシステム。
【請求項２６】
前記伝送率減少要求メッセージは、前記音声信号のデータフレームを伝送する第１のインターフェースと別途に設定された第２のインターフェースを通して伝送され、伝送率減少に関する情報、及び／又は伝送率減少時間に関する情報要素、及び／又は移動端末の識別番号に関する情報を含むことを特徴とする請求項２５記載のシステム。
【発明の詳細な説明】
【技術分野】
【０００１】
本発明は、移動通信システムにおいて、データを伝送する方法及びシステムに関し、特に、インターネット／マルチメディアサービスを提供する移動通信システムにおいて、音声信号、シグナリングメッセージ、及び付加データを多重化して伝送するための方法及びシステムに関する。
【背景技術】
【０００２】
移動通信加入者の数が急激に増加し、移動通信サービスとインターネットサービスとが連係するに従って、移動通信端末機でもインターネットサービス及びマルチメディアサービスのような多様な形態のデータサービスを受信することができるように発展している。このような符号分割多重接続移動通信システム（Code Division Multiple Access mobile communication system；以下、“ＣＤＭＡ ２０００ １ｘ”）を添付図面を参照して説明すると、下記の通りである。
【０００３】
図１は、従来のＣＤＭＡ ２０００ １ｘシステムの構造を示すブロック図である。
図１に示すように、ＣＤＭＡ２０００ １ｘは、基地局２０と連動して移動端末が送受信する音声及びデータを該当目的地と交換する交換機（Mobile Switching Center；ＭＳＣ）３０と、外部インターネット網とのインターフェース機能を遂行するパケットデータサービスノード（Packet Data Service Node；ＰＤＳＮ）４０とを含む。また、ＣＤＭＡ２０００ １ｘは、交換機３０からデータ伝送の要請を受信すると、サーキットデータ及びパケットデータを相互に変換し、この変換されたデータを伝送する整合装置（Interworking Function；ＩＷＦ）５０と、パケットデータサービスノード４０と基地局２０との間に接続されて音声信号及びデータをインターフェースするパケット制御装置（Packet Control Function；ＰＣＦ）６０と、を含む。
【０００４】
基地局２０は、基地局送受信装置（ＢＴＳ）２２Ａ及び２２Ｂと、基地局送受信装置（ＢＴＳ）２２Ａ及び２２Ｂを制御する基地局制御器（Base Station Controller；ＢＳＣ）２１と、を含む。 
交換機３０と基地局制御器２１との間には、Ａ１インターフェース及びサーキットデータ専用であるユーザ情報Ａ２／Ａ５インターフェースが設定され、Ａ３インターフェースは、端末にソフトハンドオフが発生する間に、逆方向フレームの選択及び順方向フレームの伝送の際に基地局制御器と他の基地局との間の制御信号及びユーザデータを同時に送信可能にするインターフェースと定義されている。
基地局制御器２１は、トランスコーダー（又は、ボコーダ）２３を含む。トランスコーダー（又は、ボコーダ）２３は、無線区間を通して端末が伝送した無線ボコーダ（例えば、ＥＶＲＣ、ＳＭＶ、又はＱ−ＣＥＬＰ）フレームを基地局制御器２１が無線ボコーダフレームを受信した後に、有線集中網への伝送のために無線ボコーダではない代表的な有線ボコーダであるＰＣＭボコーダフレームへの変換機能を遂行する。従来の基地局制御器と交換機との間の伝送路は、ＴＤＭ方式の伝送路が使用されているので、移動端末の無線ボコーダが生成したフレームが伝達されることができない。すなわち、使用される帯域が１３ｋｂｐｓ未満の無線ボコーダで生成されたフレームは、基地局制御器のトランスコーダーで生成されたフレームで６４ｋｂｐｓ帯域をすべて使用して伝送される。
【０００５】
しかしながら、上述したように、基地局制御器と交換機との間の伝送路は、ＴＤＭ方式で形成されるので、このようなＴＤＭ伝送路の上では、帯域が浪費されるので伝送路の効率性が低下するようになり、ＴＤＭ伝送路のコストも増加する、という問題点がある。
さらに、従来の回線に基づくシステムでは、インターネット／マルチメディアサービスの高速のパケットデータの伝送が難しいので、最近では、ＩＰ網のようなパケットに基づく移動通信システムに発展している。このような高速のパケットデータサービスのためには、従来のシステムでのように、基地局制御器でトランスコーダーを使用して音声信号を変換すると、帯域の浪費をもたらすので、新たなシステムの実現が要求された。
【発明の開示】
【発明が解決しようとする課題】
【０００６】
上記背景に鑑みて、本発明の目的は、パケットに基づくＩＰ網に適合するように回線網と別途のパケット網を有する次世代移動通信システムを提供することにある。
本発明の他の目的は、IＰに基づく次世代移動通信システムにおいて、メディアゲートウェイと基地局制御器との間に音声情報を送受信すると、音声データフレームを処理することができるフレームプロトコルを提供することにある。
本発明のさらなる目的は、パケットに基づく伝送方式を使用するメディアゲートウェイと基地局制御器との間の音声データの伝送中に、シグナリングメッセージ及び付加データを多重化する方法及びシステムを提供することにある。
【課題を解決するための手段】
【０００７】
このような目的を達成するために、本発明の１つの特徴によると、アナログ音声信号と符号化されたディジタル音声信号との間の相互変換を遂行するトランスコーダーを備えるメディアゲートウェイと、上記メディアゲートウェイ及びディジタル音声信号を送受信する基地局制御器とを含む移動通信システムにおいて、上記音声信号を移動端末に伝送するとき、シグナリングメッセージ及び／又は付加データを多重化して伝送するための方法であって、上記移動端末から伝送された音声信号及び上記音声信号の伝送率に関する情報を上記基地局制御器から上記メディアゲートウェイへ伝送するステップと、着信側から伝送された音声信号及び上記音声信号の伝送率に関する情報を上記メディアゲートウェイから上記基地局制御器へ伝送するステップと、上記基地局制御器が上記音声信号を送受信する間に、上記移動端末へ伝送するためのシグナリングメッセージ及び／又は付加データがあるか否かを検査し、伝送される上記シグナリングメッセージ及び／又は上記付加データがある場合、上記シグナリングメッセージ及び／又は上記付加データを上記音声信号と多重化して上記移動端末へ伝送するステップと、から構成されることを特徴とする。
【０００８】
本発明の他の特徴によると、アナログ音声信号と符号化されたディジタル音声信号との間の相互変換を遂行するトランスコーダーを備えるメディアゲートウェイと、上記メディアゲートウェイ及びディジタル音声信号を送受信する基地局制御器とを含む移動通信システムにおいて、上記基地局制御器が上記移動端末へ上記音声信号及びシグナリングメッセージ及び／又は付加データを多重化して伝送するための方法であって、上記音声信号の以外に上記シグナリングメッセージ及び／又は付加データがあるか否かを判断するステップと、上記シグナリングメッセージ及び／又は付加データがある場合、あらかじめ設定された時間の間に上記メディアゲートウェイに上記音声信号の伝送率の減少を要求するステップと、上記メディアゲートウェイから上記音声信号の伝送率減少に対する応答を受信し、減少された伝送率に従って上記シグナリングメッセージ及び／又は付加データを上記音声信号と多重化して上記移動端末へ伝送するステップと、から構成されることを特徴とする。
【０００９】
本発明のさらなる特徴によると、アナログ音声信号と符号化されたディジタル音声信号との間の相互変換を遂行するトランスコーダーを備えるメディアゲートウェイと、上記メディアゲートウェイ及びディジタル音声信号を送受信する基地局制御器とを含む移動通信システムにおいて、上記メディアゲートウェイが上記移動端末へシグナリングメッセージ及び／又は付加データを上記音声信号と多重化して伝送することができるように上記音声信号の伝送率を減少するための方法であって、上記基地局制御器が上記音声信号の伝送率減少を要求する場合、上記音声データの伝送率を減少するステップと、あらかじめ設定された時間の内に上記音声信号の伝送率減少要求に対する応答を上記基地局制御器へ伝送するステップと、から構成されることを特徴とする。
【００１０】
本発明のもう１つの特徴によると、アナログ音声信号と符号化されたディジタル音声信号との間の相互変換を遂行するトランスコーダーを備えるメディアゲートウェイと、上記メディアゲートウェイ及びディジタル音声信号を送受信する基地局制御器とを含む移動通信システムにおいて、上記音声信号を移動端末に伝送するとき、シグナリングメッセージ及び／又は付加データを多重化して伝送するためのシステムであって、着信側から伝送された音声信号及び上記音声信号の伝送率に関する情報を上記基地局制御器へ伝送する上記メディアゲートウェイと、上記移動端末から伝送された音声信号及び上記音声信号の伝送率に関する情報を上記メディアゲートウェイに伝送し、上記基地局制御器が上記音声信号を送受信する中に、上記移動端末へ伝送するためのシグナリングメッセージ及び／又は付加データがあるか否かを検査し、伝送される上記シグナリングメッセージ及び／又は上記付加データが存在する場合、上記シグナリングメッセージ及び／又は上記付加データを上記音声信号と多重化して上記移動端末へ伝送する上記基地局制御器と、から構成されることを特徴とする。
【発明の効果】
【００１１】
本発明は、基地局制御器がメディアゲートウェイへ伝送率の減少を要求すると、メディアゲートウェイに含まれたトランスコーダー（又は、ボコーダ）が伝送率を減少させて基地局制御器に通報することによって、移動端末へ伝送する音声データと共に付加データ又はシグナリングメッセージを効率的に伝送することができる、という長所がある。
【発明を実施するための最良の形態】
【００１２】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
【００１３】
本発明の移動通信システムによると、従来の交換機は、呼制御及び移動性制御を担当する交換エミュレータ（MSC emulator；ＭＳＣｅ）と、音声データをアナログ信号／ディジタル信号からディジタル信号／アナログ信号へ変換して伝送（forwarding）するメディアゲートウェイ（Media Gateway；ＭＧＷ）とに分けられる。従って、従来技術の交換機と基地局制御器との間の音声情報を伝送するためのベアラーインターフェースは、本発明のメディアゲートウェイと基地局制御器との間のインターフェースに相当する。そして、移動端末から／へ送受信される音声情報を伝送するために、メディアゲートウェイと基地局制御器との間の伝送状態及びパケット到着シーケンスを確認することができるフレームプロトコルが新たに設定される。また、本発明の移動通信システムは、符号分割多重接続（Code Division Multiple Access；ＣＤＭＡ ２０００ １ｘ）のＬＭＳＤ（Legacy MS Domain）システムであって、無線接続網（Radio Access Network；ＲＡＮ）と基幹回線網（Core Network；ＣＮ）との間のネットワーク参照モデル（Network Reference Model）を通して示す。このような次世代移動通信システム（以下、“ＣＤＭＡ ２０００ １ｘ”と称する）について添付図面を参照して詳細に説明する。
【００１４】
図２は、本発明の実施形態に従うＣＤＭＡ ２０００ １ｘシステムの構成を示すブロック図である。
図２に示すように、ＣＤＭＡ ２０００ １ｘシステムは、基地局制御器１２１、メディアゲートウェイ１３１、交換エミュレータ１３２、パケットデータサービスノード（Packet Data Service Node；ＰＤＳＮ）１６０、及びパケット制御装置（Packet Control Function；ＰＣＦ）１５０を含む。
【００１５】
メディアゲートウェイ１３１は、基地局制御器１２１と連動し、アナログ音声信号とディジタル信号との相互変換を担当するトランスコーダー１３３を備えている。トランスコーダー１３３は、パルスコード変調（Pulse Code Modulation；ＰＣＭ）方式を用いて、一般的な有線電話から伝達された音声データフレームを無線端末が使用する無線ボコーダフレームに変換する順方向動作を遂行し、無線端末の無線ボコーダによって生成された音声データを６４ｋｂｐｓのＰＣＭ音声データに変換する逆方向動作を遂行する。すなわち、トランスコーダー１３３は、音声信号がない場合、減少された伝送率でコーディング動作を遂行し、音声信号が多い場合、最大伝送率でコーディング動作を遂行する。
交換エミュレータ１３２は、呼制御信号、移動性制御信号、及びメディアゲートウェイ１３１を制御する信号を交換する。
【００１６】
パケット制御装置１５０は、外部インターネット網に接続されたパケットデータサービスノード１６０と連動し、ハンドオフを制御して管理し、移動端末のパケットデータサービスプロフィールを管理する。
交換エミュレータ１３２と基地局制御器１２１との間のインターフェースは、従来のＡ１インターフェースに対応する“Ａ１ｐ”インターフェースであり、基地局制御器１２１とメディアゲートウェイ１３１との間のインターフェースは、従来のＡ２インターフェースに対応する“Ａ２ｐ”インターフェースである。そして、基地局制御器１２１とメディアゲートウェイ１３１との間に“Ａｍｐ”インターフェースを設定してベアラー（Bearer）の設定、保持、及び管理のための外部帯域シグナリングを遂行する。ここで、上記“Ａｍｐ”インターフェースで定義された機能は、Ａ２ｐインターフェースのフレームプロトコルで内部帯域シグナリングによって遂行されることもできる。このような“Ａ１ｐ”、“Ａ２ｐ”、及び“Ａｍｐ”インターフェースは、一般的な回線に基づくインターフェースではなく、パケット（ＡＴＭ又はＩＰ）に基づくインターフェースである。
【００１７】
上記基地局制御器とメディアゲートウェイとの間のインターフェースに定義されるプロトコルスタックの一例を図３を参照して説明すると、下記の通りである。
上記プロトコルスタックにおいて、本発明に適用される“ケース１”について説明し、ケース２についての説明は省略するものとする。
“Ａ２ｐ”インターフェースのプロトコルスタックにおいて、ＲＴＰ＊（Real time Transport Protocol＊）及びＧＲＥ＊（Generic Route Encapsulation＊）は、従来のＲＴＰ及びＧＲＥの機能を多少変更して使用し、これは、単一のポートで複数のユーザのデータを多重化する機能及び従来のＲＴＰ及びＧＲＥのすべての機能を必要としないことを意味する。
【００１８】
“Ａｍｐ” インターフェースは、フレームプロトコルで提供する制御手順で外部帯域シグナリング（Out-of-band signaling）のためのインターフェースであり、別個のインターフェースとして設定される。交換エミュレータ（ＭＳＣｅ）を通してＡｍｐインターフェースがメディアゲートウェイと整合する場合、プロトコルスタックのＳＣＴＰ（Session Control Transmission Protocol）を使用する。
【００１９】
上述したプロトコルスタックで定義されたフレームプロトコルについて説明すると、下記の通りである。ＲＴＰ又はＧＲＥ上で動作するフレームプロトコルは、メディアゲートウェイと基地局制御器との間に音声情報を送受信するとき、音声データフレームを処理する手順及び制御手順を提供する。上記フレームプロトコルの主な機能は、下記の通りである。
一番目に、フレームプロトコルは、音声データ情報を送信する前にフレームを形成して伝送する機能を有し、該当フレームを受信した後、該当フレームを制御情報及び音声データ情報に分離して解釈する機能を有している。
二番目に、フレームプロトコルは、基地局制御器とメディアゲートウェイとの間で音声データが伝送される前に、伝送路のサービス品質（Quality of Service；ＱｏＳ）を指定する機能とフレームを送受信する時に送受信されたフレームの番号を指定する機能とを含む初期化機能を有している。
三番目に、フレームプロトコルは、実時間で音声データ情報を送受信する時に発生する遅延問題を解決するために遅延に関する報告を通じて実際送受信が行われる間の同期の設定及び保持を遂行する機能を有している。
四番目に、フレームプロトコルは、移動端末に含まれたボコーダの伝送率及び伝送モードが変換されるとき、移動端末のボコーダと整合するように、メディアゲートウェイに含まれたボコーダの伝送率及び伝送モードを変換するためのボコーダ伝送制御機能を有している。
五番目に、フレームプロトコルは、ＤＢ（Dim and Burst）及びＢＢ（Blank and Burst）方式にて基地局制御器で生成されたシグナリングメッセージ及び付加データ（Secondary Traffic）を音声データフレームと多重化して移動端末へ伝送するために、メディアゲートウェイから伝送される音声データの伝送率を特定の時間で調節する機能を有している。
【００２０】
このようなフレームプロトコルの機能のうち、本発明では、上記五番目の機能、すなわち、多重化を遂行するために音声データの伝送率を調節するための方法を説明する。
まず、本発明による伝送率の調節（すなわち、減少）のためのフレームプロトコルの一例を添付図面を参照して説明する。
図４Ａは、本発明の実施形態による伝送率の減少のためのフレームプロトコルのＡ２ｐ逆方向フレームメッセージを示し、図４Ｂは、図４Ａに示すＡ２ｐ逆方向フレームメッセージ情報の‘逆方向レイヤー３データ’情報を示す。
【００２１】
図４Ａを参照すると、Ａ２ｐ逆方向フレームメッセージ（A2p Frame_Reverse）は、基地局制御器からメディアゲートウェイへ伝送されるメッセージであり、メッセージタイプ（Message Type）及びメッセージエラーチェック（Message CRC）に関連した情報を必須的に含んでいる。また、Ａ２ｐ逆方向フレームメッセージは、逆方向レイヤー３データ情報要素（Reverse Layer 3 Data Information Element）を選択的に含む。ここで、上記逆方向レイヤー３データ情報要素は、内部帯域シグナリング（In-band signaling）が遂行される場合、Ａ２ｐインターフェース上で多重化を遂行するための伝送率の減少のために伝送される情報の要素である。このような逆方向レイヤー３データ情報要素を図４Ｂを参照して説明すると、下記の通りである。
【００２２】
“コーデック識別子（Codec Indicator）”は、現在使用しているコーデックに関連した情報を示す。下記表１に示すように、“０００”のコーデック識別子値は、ＥＶＲＣ（Enhanced Variable Rate Coding）方式のコーデックを示し、“００１”のコーデック識別子値は、ＳＭＶ（Selectable Mode Vocoder）方式のコーデックを示し、“０１０”及び“０１１”のコーデック識別子値は、１３Ｋ及び８Ｋ Ｑ−ＣＥＬＰ（Qualcomm Code Excited Linear Prediction）コーディング方式のコーデックをそれぞれ示し、“１００”のコーデック識別子値は、ＡＭＲ（Adaptive Multi-Rate）コーディング方式のコーデックを示す。“１０１〜１１１”のコーデック識別子値は、予備値を示す。
【００２３】
【表１】
2006514807.tif 000003
【００２４】
“フレームシーケンス番号（Frame Sequence Number；ＦＳＮ）”は、基地局制御器によってフレーム単位でシステム時間を表現した値を１６に設定し、モジュロ演算（modulo）を遂行した値によって指定された情報を示す。ここで、上記モジュロ演算を通して得られた値は、基地局制御器が基地局送受信装置からフレームを逆方向に受信した時間を示すことができる。
【００２５】
“要求された減少フレーム番号（Required Reduced Frame Number）”は、基地局制御器から伝送されるべきシグナリングメッセージが複数の２０ｍｓフレームを通して多重化されて伝送されなければならない場合、幾つの２０ｍｓフレームが減少された伝送率で伝送されることを所望するかを示す情報である。すなわち、“要求された減少フレーム番号”の値だけの順方向フレームを減少させるように要求することを下記表２のように示すことができる。
【００２６】
【表２】
2006514807.tif 000004
【００２７】
“伝送率減少要求（Rate_Reduction_Required）”は、基地局制御器が伝送率減少時間間隔（Rate Reduction Time Interval）内に存在することを示すフィールドである。ここで、伝送されるべきシグナリングメッセージが存在すると、“伝送率減少要求”の値を‘１’として設定し、そうでなければ‘０’として設定する。
【００２８】
“ＢＢ識別子（BB Indicator）”は、ブランクアンドバスト（Blank and Bust）識別子である。基地局制御器がシグナリングメッセージ又は付加データを伝送するためにＢＢ方式を要求する場合、“ＢＢ識別子”の値を‘１’として設定し、そうでなければ、ティムアンドバースト（Dim and Burst）方式を意味する‘０’として設定する。
【００２９】
“データ挿入（Data Inclusion）”は、基地局制御器が多重化して伝送すべきシグナリングメッセージ又は付加トラフィック（secondary traffic）を現在のフレームプロトコル逆方向データに挿入して伝送するか否かを示すフィールドである。シグナリングメッセージ又は付加データが挿入されると、“データ挿入”の値を‘１’として設定し、そうでなければ、‘０’として設定する。ここで、“データ挿入”の値を‘１’として設定する場合、“長さ（Length）”フィールドに設定された値に該当するシグナリングメッセージ又は付加データが挿入される。
【００３０】
“伝送率減少時間間隔（Rate Reduction Time Interval）”は、基地局制御器がシグナリングメッセージや付加トラフィック（Secondary traffic）を伝送したい時間を示すフィールドである。“伝送率減少時間間隔”の値は、フレームシーケンス番号（ＦＳＮ）フィールドに設定された時点から２０ｍｓの間隔で設定される値の範囲を示す。すなわち、“伝送率減少時間間隔”のそれぞれの値は、“伝送率減少時間間隔 ｘ ２０ｍｓの値（decimal）”の範囲の中の１つを示し、範囲は、ＦＳＮで示されたＣＤＭＡシステムタイムから３２０ｍｓの時間間隔を有する。
【００３１】
“スケーリング（Scaling）”は、基地局制御器がパケット到着時間エラー（Packet Arrival Time Error；ＰＡＴＥ）の値のために設定された時間スケールを示す。“スケーリング”の値は、下記表３の通りである。
【００３２】
【表３】
2006514807.tif 000005
【００３３】
パケット到着時間エラー（Packet Arrival Timer Error；ＰＡＴＥ）は、メディアゲートウェイが実際にフレームプロトコル順方向レイヤー３データ（FP-Forward Layer 3 Data）を受信する受信時間と“スケーリング”フィールドによって計算された予想到着時間との差を示す。従って、ＰＡＴＥの範囲は、＋／−で表現され、“スケーリング”フィールドに設定された値に従って表３に示すように設定される。
【００３４】
“フレーム内容（Frame Content）”は、実際フレームプロトコル順方向レイヤー３データ情報に含まれている情報ビットの数及びコードシンボル反復率（code symbol repetition rate）を示すフィールドである。基地局制御器とメディアゲートウェイとの間の内部帯域シグナリングのために使用されるフレームのタイプは、下記表４及び表５の通りである。
【００３５】
【表４】
2006514807.tif 000006
【００３６】
【表５】
2006514807.tif 000007
【００３７】
“長さ（Length）”は、“長さ”フィールドの後に含まれているバイトの長さに関する情報を含む。
“シグナリングメッセージ及び付加トラフィック（Signaling Message/Secondary Traffic）”は、上記“シグナリングメッセージ／付加トラフィックの値が‘１’として設定される場合、挿入されたシグナリングメッセージ又は付加データ（付加トラフィック）を示す。
【００３８】
また、上記順方向レイヤー３データ情報は、上述した情報要素の以外に順方向リンク情報要素（Forward Link Information + Layer 3 fill）を選択的に含むことができる。
一方、フレームプロトコル制御手順を遂行する間に、Ａ２ｐインターフェース上で内部帯域シグナリング（In-band signaling）を使用してデータを処理する場合、メディアゲートウェイは、上記伝送率減少要求メッセージに応じて基地局へ伝送率減少応答メッセージを伝送する。上記伝送率減少応答メッセージに対する情報要素について説明すると、下記の通りである。
【００３９】
図５Ａは、本発明の実施形態に従って伝送率の減少のためのフレームプロトコルのＡ２ｐ順方向フレームメッセージを示し、図５Ｂは、図５Ａに示すＡ２ｐ順方向フレームメッセージ情報の順方向レイヤー３データ情報を示す。
内部帯域シグナリングにおいて、音声データ及びフレームプロトコルの制御情報は、同一のメッセージを通して伝送される。このような内部帯域シグナリングを使用して伝送率を減少する場合、フレームプロトコルの順方向フレームメッセージフォーマットは、図５Ａに示すように、メッセージタイプ（Message Type）及びメッセージエラーチェック（Message CRC）に関連した情報を必須的に含み、また、順方向レイヤー３データ（Forward Layer 3 data）を選択的に含む。このような順方向レイヤー３データの情報要素を図５Ｂを参照して説明すると、下記の通りである。
【００４０】
“コーデック識別子（Codec_Indicator）”は、現在使用しているコーデックに関連した情報を示すフィールドであり、上記表１に示したような逆方向レイヤー３データのコーデック情報と同一の方式にてコーデック識別子の値に従ってコーデック情報を区分する。
“伝送率減少応答（Rate_Reduction_Ack）フィールド”は、ＤＢ（Dim and Burst）方式を使用するために、メディアゲートウェイが基地局制御器から受信された伝送率減少要求を許容する場合、“１”として設定され、前記伝送率減少要求に従って前記伝送率を減少させる。そうでない場合であるか、又は基本値である場合、伝送率減少応答フィールドは、“０”として設定される。 
【００４１】
“フレームシーケンス番号（Frame Sequence Number；ＦＳＮ）”は、メディアゲートウェイによってフレーム単位でシステム時間を表現した値を１６に設定し、モジュロ（modulo）演算を遂行した値を指定するフィールドである。ここで、モジュロ演算を通して得られた値は、基地局制御器から基地局送受信装置への順方向伝送時間として使用されることができる。
“スケーリング（Scaling）”は、メディアゲートウェイがパケット到着時間エラー（Packet Arrival Time Error；ＰＡＴＥ）の値のための時間スケールを指定するフィールドである。このような“スケーリング”の値は、上記表３に示されたものと同一である。
【００４２】
“パケット到着時間エラー（Packet Arrival Timer Error；ＰＡＴＥ）”は、基地局制御器が実際に逆方向プロトコル−順方向レイヤー３データ（Reverse Protocol-Forward Layer-3 Data）を受信する受信時間と“スケーリング”フィールドによって計算された予想到着時間との間の差異を示すフィールドである。従って、上記ＰＡＴＥの範囲は、＋／−で表現され、“スケーリング”フィールドに設定された値に従って上記表３に示すように設定される。
“フレーム内容（Frame Content）”は、情報ビットの数及びコードシンボル反復率を示すフィールドである。基地局制御器とメディアゲートウェイとの間の内部帯域シグナリングのために使用されるフレームのタイプは、上記表４及び表５に示すようなものと同一である。
また、上記順方向レイヤー３データ情報は、上述した情報要素の以外に、順方向リンク情報要素（Forward Link Information + Layer 3 fill）を選択的に含むことができる。
【００４３】
図６は、本発明の実施形態によるフレームプロトコルのＡ２ｐ逆方向／順方向フレームメッセージに含まれたメッセージエラーチェックに関する情報を示す。
図６を参照すると、上記メッセージエラーチェックは、メッセージタイプ及び順方向レイヤー３データ（Forward Layer 3 Data）に適用される標準１６ビット情報を有し、該当メッセージ及びレイヤー３データ情報要素を確認する。このような確認のために、生成多項式“ｇ（ｘ）＝ ｘ１６＋ｘ１２＋ｘ５＋１”を使用する。
【００４４】
一方、フレームプロトコル制御手順を遂行する間に外部帯域シグナリング（Out-band signaling）を使用する場合、Ａｍｐインターフェースを介して独立して伝送される伝送率減少要求メッセージ（すなわち、Ａｍｐ逆方向フレームメッセージ）及び伝送率減少応答メッセージ（すなわち、Ａｍｐ順方向フレームメッセージ）に対する情報要素について説明する。まず、添付図面を参照して上記伝送率減少要求メッセージについて説明すると、下記の通りである。
【００４５】
図７Ａは、本発明の実施形態による伝送率の減少のためのフレームプロトコルのＡｍｐ伝送率減少要求メッセージを示す。
図７Ａを参照すると、“メッセージタイプ”は、Ａｍｐインターフェースを介して伝送される伝送率減少要求（Rate Reduction Request）メッセージを示す１バイトの情報である。“呼接続番号（Call Connection Reference）は、基地局制御器及びメディアゲートウェイ上で該当移動端末の音声呼接続番号を示す情報であって、該当フィールドは、下記表６の通りである。
【００４６】
【表６】
2006514807.tif 000008
【００４７】
表６を参照すると、“呼接続番号”の情報は、長さ（Length）フィールドと、サービスプロバイダーによって設定されたマーケットＩＤを示す２バイトの“マーケットＩＤ（Market ID）”フィールドと、呼接続番号の値を生成する装置にサービスプロバイダーが割り当てたコード番号を示す２バイトのコード番号（以下、Generating Entity IDと称する）フィールドと、該当移動端末が音声データを伝送するか否かを識別するために使用される“Generating Entity”が割り当てた値を示す４バイトの“呼接続番号値（Call Connection Reference Value）”フィールドと、を含む。 
【００４８】
“モバイル識別子（Mobile Identity）（例えば、ＩＭＳＩ又はＥＳＮ）”は、該当端末の番号を示す情報であり、長さフィールドと識別子タイプ（Type of Identity）フィールドとを含む。このようなモバイル識別子のフィールドは、下記表７の通りである。
【００４９】
【表７】
2006514807.tif 000009
【００５０】
ここで、上記“識別子タイプ（Type of Identity）”フィールドは、下記表８に示すように、多様な種類の移動端末の識別子を示す。
【００５１】
【表８】
2006514807.tif 000010
【００５２】
“Ａ２ｐベアラーＩＤ（A2p_Bearer ID）”は、基地局制御器とメディアゲートウェイとの間の音声データを伝送するために使用される該当基地局制御器及びメディアゲートウェイのベアラーＩＤに関連した情報を示し、メッセージ送信側のＲＴＰ／ＵＤＰ／ＩＰ又はＧＲＥ／ＩＰのポート番号を意味する。
【００５３】
“伝送率減少情報（Rate Reduction Information）は、下記表１０に示すように構成され、該当フィールドは、下記表９の通りである。
【００５４】
【表９】
2006514807.tif 000011
【００５５】
“要求減少フレーム番号（Required Reduced Frame Number）”は、基地局制御器から伝送されるべきシグナリングメッセージが複数の２０ｍｓのフレームを通して多重化されて伝送されなければならない場合、幾つの２０ｍｓフレームが減少された伝送率で伝送されることを所望するかを示すフィールドである。“要求減少フレーム番号”の値は、上記表２に示した通りに定義されることができ、上記“要求された減少フレーム番号”値の個数だけの順方向フレームを減少させるように要求する。
【００５６】
“ＢＢ識別子（BB Indicator）”は、ブランクアンドバスト（Blank and Bust）識別子である。基地局制御器がシグナリングメッセージ又は付加データを伝送するためにＢＢ方式を要求する場合、“ＢＢ識別子”の値を‘１’として設定し、そうでなければ、ティムアンドバースト（Dim and Burst）方式を意味する‘０’として設定する。
【００５７】
“データ挿入（Data Inclusion）”は、基地局制御器が多重化して伝送すべきシグナリングメッセージ又は付加トラフィック（secondary traffic）を現在のフレームプロトコル逆方向データ（FP-Reverse Data）に挿入して伝送するか否かを示すフィールドである。シグナリングメッセージ又は付加データが挿入されると、“データ挿入”の値を‘１’として設定し、そうでなければ、‘０’として設定する。ここで、“データ挿入”の値を‘１’として設定する場合、“長さ（Length）”フィールドに設定された値に該当するシグナリングメッセージ又は付加データが挿入される。
【００５８】
“伝送率減少時間間隔（Rate Reduction Time Interval）”は、基地局制御器がシグナリングメッセージや付加トラフィックを伝送したい時間を示すフィールドである。“伝送率減少時間間隔”は、“動作時間（Action Time）”フィールドに設定された時点から２０ｍｓの間隔で“伝送率減少時間間隔”フィールドが設定した値を示す。すなわち、“伝送率減少時間間隔”のそれぞれの値は、“伝送率減少時間間隔 ｘ ２０ｍｓの値”の範囲の中の１つを示す。
【００５９】
“動作時間”は、伝送率の減少が要求される開始システム時間を意味するフィールドである。“シグナリングメッセージ（Signaling Message）／付加トラフィック（Secondary Traffic）”は、“シグナリングメッセージ／付加トラフィック”の値が“１”として設定される場合、挿入されたシグナリングメッセージ又は付加データを意味するフィールドである。
【００６０】
そして、上記伝送率減少情報は、上述した情報要素だけではなく、“長さ”情報要素を含み、“シグナリングメッセージ／付加トラフィック（Signaling Message/Secondary Traffic）”及び“予備（Reserved）”情報要素を選択的に含む。また、上記伝送率減少情報は、順方向リンク情報要素（Forward Link Information + Layer 3 fill）を含む。
【００６１】
図７Ｂは、本発明の実施形態による伝送率の減少のためのフレームプロトコルのＡｍｐ伝送率減少応答メッセージを示す。
図７Ｂを参照すると、Ａｍｐ伝送率減少応答メッセージは、Ａｍｐ伝送率減少要求を許容することができない時に挿入される失敗原因（Cause）情報要素を除外すると、Ａｍｐ伝送率減少要求メッセージの情報要素と同一である。ここで、上記Ａｍｐ伝送率減少要求を許容することができない場合に、上記失敗原因情報要素として挿入される各フィールドは、下記表１０の通りである。また、基地局制御器とメディアゲートウェイとの間で発生する原因値は、下記表１１の通りである。
【００６２】
【表１０】
2006514807.tif 000012
【００６３】
【表１１】
2006514807.tif 000013
【００６４】
また、図８Ａ及び図８Ｂに示すように、外部帯域シグナリングを使用する場合、Ａ２ｐフレーム順方向／逆方向メッセージは、内部帯域シグナリングのＡ２ｐフレーム順方向／逆方向メッセージで伝送率の減少に関連したフィールドのみが削除され、残りのフィールドは、内部帯域シグナリングのＡ２ｐフレーム順方向／逆方向メッセージと同一である。
【００６５】
このように構成されたＣＤＭＡ ２０００ １ｘで基地局制御器とメディアゲートウェイとの間の音声データ伝送区間で信号及び付加データを多重化するための伝送率の減少方法を説明する。ここで、上記伝送率を減少させる方法は、内部帯域シグナリング過程と外部帯域シグナリング過程とに区分して説明する。
まず、フレームプロトコルの伝送フレームに含まれた制御メッセージを上記伝送フレームと共に伝送する内部帯域シグナリングを用いる場合の伝送率を減少させる方法について添付図面を参照して説明する。
【００６６】
図９は、本発明の一実施形態による伝送率を減少させるための内部帯域シグナリングに適用された呼処理手順を示すフローチャートである。
ステップ９１０で、移動端末１１０は、基地局制御器１２１とセッションを設定した後、着信側と音声通信を遂行する。
この後、ステップ９１１で、基地局制御器１２１は、移動端末１１０から受信された音声データフレームをＡ２ｐ逆方向フレームメッセージに挿入し、前記Ａ２ｐ逆方向フレームメッセージをメディアゲートウェイ１３１へ伝送する。このとき、上記伝送されるＡ２ｐ逆方向フレームメッセージは、上記受信された音声データの伝送率及び情報ビットを含む。そうすると、ステップ９１２で、メディアゲートウェイ１３１は、着信側のメディアゲートウェイ（図示せず）から音声データフレームを通して受信された情報ビット及び音声データの伝送率をＡ２ｐ順方向フレームメッセージに挿入し、前記Ａ２ｐ順方向フレームメッセージを基地局制御器１２１へ伝送する。
【００６７】
ステップ９１３で、音声呼が遂行される間に、基地局制御器１２１から移動端末１１０へ伝送されるべきシグナリングメッセージ又は付加データが生成される場合、基地局制御器１２１は、現在伝送されている音声データに対して多重化を遂行するか否かを判断する。結果的に、基地局制御器１２１が多重化を遂行する場合、基地局制御器１２１は、多重化のためにあらかじめ設定された動作時間（Action Time）にＤＢ（Dim and Burst）又はＢＢ（Blank and Burst）方式に従って伝送率の減少を要求するようにいくつかのＡ２ｐ逆方向フレームを指定して伝送する。
【００６８】
ステップ９１４で、メディアゲートウェイ１３１が基地局制御器１２１の伝送率減少要求を許容する場合、メディアゲートウェイ１３１は、基地局制御器１２１が要求した動作時間（Action Time）の区間でＤＢ（Dim and Burst）又はＢＢ（Blank and Burst）方式に従って伝送率を減少させる。そうすると、メディアゲートウェイ１３１は、伝送率減少要求が許容されたことを通知するようにＡ２ｐ順方向フレームを指定した後、前記Ａ２ｐ順方向フレームを基地局制御器１２１へ伝送する。
【００６９】
ステップ９１５で、基地局制御器１２１は、ＤＢ（Dim and Burst）又はＢＢ（Blank and Burst）方式に従って移動端末１１０へ音声データ及びシグナリングメッセージ／付加データを伝送する。
ステップ９１６で、多重化されて伝送されるシグナリングメッセージ及び付加データが存在しない場合、基地局制御器１２１は、移動端末１１０から音声データフレームを通して受信された音声データの伝送率及び情報ビットをＡ２ｐ逆方向フレームに正常にさらに挿入し、Ａ２ｐ逆方向フレームをパケットデータとしてメディアゲートウェイ１３１へ伝送する。
【００７０】
ステップ９１７で、メディアゲートウェイ１３１は、着信側のメディアゲートウェイから音声データフレームを通して受信された音声データの伝送率及び情報ビットをＡ２ｐ順方向フレームに挿入し、上記Ａ２ｐ順方向フレームを基地局制御器１２１へ伝送する。
上述したように、本発明の実施形態では、音声信号及びデータを１つのメッセージによって伝送される内部帯域シグナリングを使用して音声データ伝送区間で信号及び付加データを多重化するための伝送率を減少させる方法を説明した。しかしながら、本発明の他の実施形態態では、音声信号及びデータを信号処理インターフェース（以下、“Ａｍｐ”と称する）上で別途のシグナリングメッセージとして伝送される外部帯域シグナリングを使用して多重化のための伝送率を減少させる方法を説明する。
【００７１】
図１０は、本発明の一実施形態による音声データ伝送区間でシグナリングメッセージ及び付加データの多重化伝送のための伝送率を減少させる動作を示すフローチャートである。
ステップ１０１０で、移動端末１１０は、基地局制御器１２１とセッションを設定した後、着信側と音声通信を遂行する。
この後、ステップ１０１１で、基地局制御器１２１は、移動端末１１０から音声データフレームを通して受信された音声データの伝送率及び情報ビットを
Ａ２ｐ逆方向フレームメッセージに挿入し、上記Ａ２ｐ逆方向フレームメッセージをメディアゲートウェイ１３１へ伝送する。そうすると、ステップ１０１２で、メディアゲートウェイ１３１は、着信側のメディアゲートウェイから音声データフレームを通して受信された音声データの伝送率及び情報ビットをＡ２ｐ順方向フレームメッセージに挿入し、上記Ａ２ｐ順方向フレームメッセージを基地局制御器１２１へ伝送する。
【００７２】
音声呼が遂行される間に、ステップ１０１３で、基地局制御器１２１から移動端末１１０へ伝送されるべき信号又は付加データが生成される場合、基地局制御器１２１は、多重化のためにあらかじめ設定された時間（Action Time）にＤＢ（Dim and Burst）又はＢＢ（Blank and Burst）方式に従って伝送率の減少を要求するようにＡｍｐ伝送率減少メッセージに信号又は付加データを指定した後、前記Ａｍｐ伝送率減少メッセージをメディアゲートウェイ１３１へ伝送する。
【００７３】
ステップ１０１４で、メディアゲートウェイ１３１が基地局制御器１２１の伝送率減少要求を許容する場合、メディアゲートウェイ１３１は、基地局制御器１２１が要求した動作時間の区間で、ＤＢ（Dim and Burst）又はＢＢ（Blank and Burst）方式に従って伝送率が減少することを基地局制御器１２１へ通知するＡｍｐ伝送率減少応答メッセージを伝送する。
【００７４】
ステップ１０１５で、基地局制御器１２１は、以前のとおりに、移動端末１１０から音声データフレームを通して受信された音声データの伝送率及び情報をＡ２ｐ逆方向フレームに挿入した後、上記Ａ２ｐ逆方向フレームをメディアゲートウェイ１３１へ伝送する。
ステップ１０１６で、メディアゲートウェイ１３１は、決定された動作時間に合わせて着信側のメディアゲートウェイ１３１から音声データフレームを通して受信された減少された音声データの伝送率及び情報をＡ２ｐ順方向フレームメッセージに挿入し、前記Ａ２ｐ順方向フレームメッセージを前記器直制御器へ伝送する。
【００７５】
ステップ１０１７で、基地局制御器１２１は、移動端末１１０にＤＢ（Dim and Burst）又はＢＢ（Blank and Burst）方式に従って音声データ及びシグナリングメッセージ／付加データを伝送する。ステップ１０１８で、多重化されて伝送されるシグナリングメッセージ及び付加データが存在しない場合、基地局制御器１２１は、移動端末１１０から音声データフレームを通して受信された音声データの伝送率及び情報ビットをＡ２ｐ逆方向フレームに挿入し、上記Ａ２ｐ逆方向フレームをメディアゲートウェイ１３１へ伝送する。
【００７６】
ステップ１０１９で、メディアゲートウェイ１３１は、着信側のメディアゲートウェイ１３１から音声データフレームを通して受信された音声データの伝送率及び情報ビットをＡ２ｐ順方向フレームに挿入し、上記Ａ２ｐ順方向フレームを基地局制御器１２１へ伝送する。
このようなフレームプロトコルを用いて基地局制御器１２１とメディアゲートウェイ１３１との間の伝送率の減少のために、ＤＢ又はＢＢ方式を用いて基地局制御器１２１とメディアゲートウェイ１３１との間の伝送率の減少の成功及び失敗手順について説明する。 
【００７７】
上記ＤＢ又はＢＢ方式を用いた伝送率減少手順は、ユーザの音声データを伝送する間に、基地局制御器から移動端末へ伝送されるレイヤー３シグナリングメッセージ又は付加データがある場合、メディアゲートウェイの内のトランスコーダー（又は、ボコーダ）フレームの伝送率を減少させるか、又は空けることを要求するための方式である。このような伝送率減少手順は、２種類の方法によって行われる。第１の方法によると、基地局制御器は、基地局制御器から移動端末へ伝送されるべきレイヤー３シグナリングメッセージ又は付加データが存在することを通知する。すなわち、基地局制御器は、基地局システム時間に基づいて、レイヤー３シグナリングメッセージ又は付加データがいつ伝送されなければならないかをメディアゲートウェイにまず通知する。次に、メディアゲートウェイが減少された伝送率でトランスコーダー（又は、ボコーダ）フレームを基地局制御器へ伝送する場合、基地局制御器は、該当トランスコーダー（又は、ボコーダ）フレームで上記レイヤー３シグナリングメッセージ又は付加データを多重化し、上記多重化されたデータを含むトランスコーダーフレームを移動端末へ伝送する。
【００７８】
第２の方法によると、基地局制御器は、上記レイヤー３シグナリングメッセージ又は付加データと基地局システム時間に基づいて上記レイヤー３シグナリングメッセージ又は付加データがいつ伝送されなければならないかに関する情報をメディアゲートウェイへ伝送する。そうすると、メディアゲートウェイは、基地局制御器から受信されたシグナリングメッセージ又は付加データを音声メッセージと多重化し、上記多重化された音声メッセージ及び付加データを最大伝送率（full rate）で基地局制御器へ伝送し、これによって、基地局制御器が上記多重化された音声メッセージ及び付加データを該当移動端末へ伝送するようにする。上記第１の方法によると、ＤＢ又はＢＢ方式を使用する伝送率減少手順は、基地局制御器によって制御される。上記第２の方法によると、ＤＢ又はＢＢ方式を使用する伝送率減少手順は、基地局制御器によって要求されてメディアゲートウェイで制御される。
【００７９】
図１１は、本発明の実施形態による伝送率を減少させるための呼手順を成功的に遂行した場合の動作を示すフローチャートである。
ステップ１１００で、メディアゲートウェイ１３１は、まず、最大伝送率で音声データを基地局制御器１２１へ伝送する。
ステップ１１１０で、基地局制御器１２１は、移動端末へ現在伝送されている音声データの以外に、基地局制御器１２１から該当移動端末へ多重化されて伝送される音声メッセージ又は付加データが生成される場合、基地局制御器１２１は、伝送率減少要求メッセージをメディアゲートウェイ１３１へ伝送する。ここで、上記伝送率減少要求メッセージは、伝送率及び動作時間などに関する情報を含み、このような情報は、図５Ａ及び図７Ａに示されている。
【００８０】
そうすると、ステップ１１２０で、メディアゲートウェイ１３１は、基地局制御器１２１が要求した動作時間で伝送率を減少させるための準備をする。この後、受信された伝送率減少要求メッセージに含まれた情報に従って、正常的な処理動作を遂行することができる場合、メディアゲートウェイ１３１は、伝送率減少応答メッセージを基地局制御器１２１へ伝送する。ここで、上記伝送率減少応答メッセージは、伝送率及び動作時間などに関する情報を含み、このような情報は、図５Ｂ及び図７Ｂに示されている。そして、動作時間を示す周期（ＴＲＲ）は、伝送率減少制御フレームを伝送した後に開始され、上記伝送率減少応答メッセージを受信する時終了される。
この後、ステップ１１３０で、メディアゲートウェイ１３１は、減少された伝送率でフレームを基地局制御器へ伝送し、これによって、基地局制御器１２１が音声データとともに音声メッセージ又は付加データを該当移動端末へ伝送するようにする。
【００８１】
一方、メディアゲートウェイが伝送率減少制御フレームに対する正常処理動作を遂行することができない場合、メディアゲートウェイは、定常的に処理されない場合、メディアゲートウェイは、該当原因に関する情報を含むＮＡＣＫメッセージを基地局制御器へ伝送する。結果的に、基地局制御器が“Rate Reduction not supported”という原因を含むＮＡＣＫメッセージを受信すると、基地局制御器は、自体的に備えたタイマ周期（ＴＲＲ）だけの時間が経過する間に、メディアゲートウェイから伝送された音声データフレームの伝送率を確認する。確認の結果、伝送率が減少されないと、基地局制御器は、メディアゲートウェイから伝送された音声データフレームの区間を空け（Blank）、この空いている区間をシグナリングメッセージで満たして最大伝送率で移動端末へ伝送する。
【００８２】
以上、本発明を具体的な実施形態を参照して詳細に説明してきたが、本発明の範囲は上述の実施形態によって限られるべきではなく、本発明の範囲内で様々な変形が可能であるということは、当該技術分野における通常の知識を持つ者には明らかである。
【図面の簡単な説明】
【００８３】
【図１】従来のＣＤＭＡ ２０００ １ｘシステムの構成を示すブロック図である。
【図２】本発明の実施形態によるＣＤＭＡ ２０００ １ｘシステムの構成を示すブロック図である。
【図３】本発明の実施形態によるＣＤＭＡ ２０００ １ｘシステムのプロトコルスタックの一例を示す図である。
【図４Ａ】本発明の実施形態によるフレームプロトコルのＡ２ｐ逆方向フレームメッセージを示す図である。
【図４Ｂ】図４Ａに示したＡ２ｐ逆方向フレームメッセージの‘逆方向レイヤー３データ’情報を示す図である。
【図５Ａ】本発明の実施形態によるフレームプロトコルのＡ２ｐ順方向フレームメッセージを示す図である。
【図５Ｂ】図５Ａに示したＡ２ｐ逆方向フレームメッセージの‘逆方向レイヤー３データ’情報を示す図である。
【図６】本発明の実施形態によるフレームプロトコルのメッセージエラーチェックメッセージを示す図である。
【図７Ａ】本発明の実施形態によるフレームプロトコルの外部帯域シグナリングを使用する場合の伝送率減少要求及び応答メッセージを示す図である。
【図７Ｂ】本発明の実施形態によるフレームプロトコルの外部帯域シグナリングを使用する場合の伝送率減少要求及び応答メッセージを示す図である。
【図８Ａ】本発明の実施形態によるフレームプロトコルの外部帯域シグナリングを使用する場合の逆方向／順方向フレームメッセージを示す図である。
【図８Ｂ】本発明の実施形態によるフレームプロトコルの外部帯域シグナリングを使用する場合の逆方向／順方向フレームメッセージを示す図である。
【図９】本発明の一実施形態による音声データ伝送区間でシグナリングメッセージ又は付加データを多重化して伝送するための伝送率を減少する動作を示すフローチャートである。
【図１０】本発明の他の実施形態態による音声データ伝送区間でシグナリングメッセージ又は付加データを多重化して伝送するための伝送率を減少する動作を示すフローチャートである。
【図１１】本発明の実施形態による伝送率を減少させるための呼手順を成功的に遂行した場合の動作を示すフローチャートである。
【符号の説明】
【００８４】
１２１      基地局制御器
１３１      メディアゲートウェイ
１３２      交換エミュレータ
１３３      トランスコーダー
１５０      パケット制御装置
１６０      パケットデータサービスノード
【図１】
2006514807.tif 000014
【図２】
2006514807.tif 000015
【図３】
2006514807.tif 000016
2006514807.tif 000017
2006514807.tif 000018
2006514807.tif 000019
2006514807.tif 000020
【図６】
2006514807.tif 000021
2006514807.tif 000022
2006514807.tif 000023
2006514807.tif 000024
【図９】
2006514807.tif 000025
【図１０】
2006514807.tif 000026
【図１１】
2006514807.tif 000027
【国際調査報告】
2006514807.tif 000028
2006514807.tif 000029